(57)【要約】【課題】複数の異なる符号化処理を行う動画像符号化装置において、同装置を小規模化することを目的とする。また、同装置の符号化処理に伴う処理負荷を軽減することを目的とする。【解決手段】本動画像符号化装置は、動画像を入力する動画像入力手段１００と、動画像入力手段１００から出力された動画像に対して第１の符号化処理を行ない、符号化条件を出力する符号化処理手段１０１と、動画像入力手段１００から出力された動画像に対して、符号化処理手段１０１のIntra/Inter判定手段１０３から出力された符号化条件に従って、第２の符号化処理を行なう符号化処理手段１１１を備えている。【選択図】図１
2007251648.tif 000002
【特許請求の範囲】
【請求項１】
動画像を入力する動画像入力手段と、
動画像入力手段から出力された動画像に対して第１の符号化処理を行ない、符号化条件を出力する第１の符号化処理手段と、
動画像入力手段から出力された動画像に対して、第１の符号化処理手段から出力された符号化条件に従って、第２の符号化処理を行なう第２の符号化処理手段とを備えることを特徴とする動画像符号化装置。
【請求項２】
第１の符号化処理手段は、前記動画像入力手段から出力される動画像の解像度変換を行なう解像度変換手段を備えることを特徴とする請求項１記載の動画像符号化装置。
【請求項３】
第１の符号化処理手段は、動きベクトル探索処理を行って得られた探索結果を出力し、
第２の符号化処理手段は、第１の符号化処理手段から出力された探索結果に従って、動き動きベクトルの探索処理を行うことを特徴とする請求項１記載の動画像符号化装置。
【請求項４】
第１の符号化処理手段から出力された符号化条件を記憶する記憶手段を備え、
第２の符号化処理手段は、動画像入力手段から出力された動画像を符号化する際に、該動画像に関する符号化条件を前記記憶手段から読み出すことを特徴とする請求項１記載の動画像符号化装置。
【請求項５】
第１の符号化処理手段から出力される第１の符号化ビットストリームを記憶する第１の記憶手段と、
第２の符号化処理手段から出力される第２の符号化ビットストリームを記憶する第２の記憶手段とを備えることを特徴とする請求項１記載の動画像符号化装置。
【請求項６】
第１の符号化処理手段から出力される第１の符号化ビットストリームを記憶する記憶手段と、
第２の符号化処理手段から出力される第２の符号化ビットストリームをネットワークに送信する通信I/F手段とを備えることを特徴とする請求項１記載の動画像符号化装置。
【発明の詳細な説明】
【技術分野】
【０００１】
この発明は、ＤＶＤレコーダやハードディスクレコーダ等に搭載され、動画像の圧縮符号化を行う動画像符号化装置に関するものである。
【背景技術】
【０００２】
画像情報をディジタル化し圧縮符号化理論を用いて圧縮符号化した画像情報を、蓄積媒体に記録したり、通信媒体を介して転送したりする技術が、多種多様な機器で用いられるようになってきた。例えば、ＭＰＥＧ−２に準拠したビデオを用いたＤＶＤ記録再生装置や、ＭＰＥＧ−４ビデオを用いた携帯端末間の通信、携帯型動画像再生装置が挙げられる。また、ＪＰＥＧ圧縮技術を用いたディジタルスチルカメラ等も普及している。
【０００３】
このように、圧縮符号化には、圧縮規格の異なる複数の符号化方式があり、また実際の使用用途が異なっている。また、近年、ＤＶＤレコーダと携帯機器の連携の技術開発も進んでおり、ＤＶＤレコーダで記録した画像を携帯機器で閲覧することが可能となっている。そのため、同一の画像ソースを、閲覧する機器に合わせて、異なった符合化方式で符号化する動画像符号化装置の要求が高まっている。
【０００４】
上記のような、複数の符号化方式の混在したデータをまとめて扱えるシステムを構築するためには、ＭＰＥＧ−２，ＭＰＥＧ−４等のそれぞれの符号化方式に対応する複数のエンコーダを装備する必要がある。それぞれのエンコーダには、フレーム内符号化とフレーム間符号化のどちらが適しているかを判定するIntra／Inter判定部が存在している。
【０００５】
また、特許文献１記載の動画像符号化データの形式変換方法及び装置では、一方の符号化方式でデータ処理し、その後、その符号化方式で処理されたデータを、他方の符号化方式へ変換処理することが提案されている。
【０００６】
【特許文献１】特開２００２−１８５９６９号公報
【発明の開示】
【発明が解決しようとする課題】
【０００７】
従来の動画像符号化装置は、以上のように構成されていたので、複数の異なる符号化方式に対応させるためには、それぞれの符号化方式に対応する複数のエンコーダを備える必要があり、動画像符号化装置自体が大規模化するという課題があった。また、それぞれのエンコーダにおいて、符号化処理に伴う一定の処理（フィルタ処理、Intra／Inter判定、動き探索処理等）を行う必要があるので、処理負荷が増加するという課題もあった。
【０００８】
また、特許文献１記載の動画像符号化データの形式変換方法及び装置では、一方の符号化方式で符号化処理を行った後に、デコード手段及びサイズ変換手段にて他方の符号化方式に適した形態に変換し、他方の符号化方式で符号化処理を行うため、処理及び装置コストが増加するという課題があった。更に、同方法及び装置では、一方の符号化処理を経た後でなければ他方の符号化処理を行うための変換データが得られないので、２つの異なった符号化を行なうのに多大の時間を要し、利便性に欠けるという課題もあった。
【０００９】
この発明は上記のような課題を解消するためになされたもので、複数の異なる符号化処理を行う動画像符号化装置において、同装置を小規模化することを目的とする。
また、同装置の符号化処理に伴う処理負荷（処理時間）を軽減することを目的とする。
【課題を解決するための手段】
【００１０】
この発明に係る動画像符号化装置は、動画像を入力する動画像入力手段と、動画像入力手段から出力された動画像に対して第１の符号化処理を行ない、符号化条件を出力する第１の符号化処理手段と、動画像入力手段から出力された動画像に対して、第１の符号化処理手段から出力された符号化条件に従って、第２の符号化処理を行なう第２の符号化処理手段とを備えることを特徴とするものである。
【発明の効果】
【００１１】
この発明によれば、複数の異なる符号化処理を行う動画像符号化装置において、第１の符号化処理手段と第２の符号化処理手段で符号化条件を共有しているので、同装置を小規模化すると共に、符号化処理に伴う処理負荷（処理時間）を軽減することができる。
【発明を実施するための最良の形態】
【００１２】
実施の形態１．
以下、この発明の実施の形態１について説明する。図１は、この発明の実施の形態１に係る動画像装置の構成図である。
図１において、本動画像符号化装置は、動画像入力手段１００と、第１の符号化方式で符号化処理を行う符号化処理手段１０１と、第２の符号化方式で符号化処理する符号化処理手段１１１を備えている。符号化処理手段１０１，１１１はエンコーダに相当する。
【００１３】
符号化処理手段１０１は、プレフィルタ１０２と、Intra/Inter判定手段１０３と、セレクタ１０４と、イントラ符号化情報生成手段１０５と、動き探索手段１０６と、インター符号化情報生成手段１０７と、可変長符号化手段１０８を備えている。
また、符号化処理手段１１１は、プレフィルタ１１２と、Intra/Inter判定手段１１３と、セレクタ１１４と、イントラ符号化情報生成手段１１５と、動き探索手段１１６と、インター符号化情報生成手段１１７と、可変長符号化手段１１８を備えている。符号化処理手段１１１には、Intra/Inter判定手段が存在しない。
【００１４】
次に、動作について説明する。
動画像入力手段１００は、装置外部から動画像を入力され、同一の入力画像を符号化処理手段１０１，１１１へ出力する。
符号化処理手段１０１，１１１は、動画像入力手段１００からそれぞれ入力された動画像を符号化し、ビットストリーム１０９，１１９を出力する。ビットストリーム１０９，１１９は、第１，第２の符号化方式（ＭＰＥＧ−２，ＭＰＥＧ−４等）に応じてそれぞれ異なるものとなる。
【００１５】
次に、符号化処理手段１０１内部の動作について説明する。
一般的な符号化処理では、画像を16画素×16画素のマクロブロック（MB）と呼ばれる小さな領域に分けて符号化を行なう。
先ず、プレフィルタ１０２は、動画像入力手段１００から１０１へ入力された動画像に符号化処理効率を上げるためのフィルタ処理（ノイズ除去等）を施す。
【００１６】
次に、Intra/Inter判定手段１０３は、プレフィルタ１０２の出力する画像をイントラ符号化（フレーム内符号化）、インター符号化（フレーム間符号化）のどちらで符号化するかを判定する。Intra/Inter判定方法としては、フレーム間差分（予測誤差）に基づいて判定する方法等がある。
【００１７】
Intra/Inter判定手段１０３がイントラ符号化すると判定した場合には、プレフィルタ１０２の出力した画像はセレクタ１０４を介してイントラ符号化情報生成手段１０５に出力され、イントラ符号化用の符号化パラメータが生成される。
【００１８】
一方、Intra/Inter判定手段１０３がインター符号化すると判定した場合は、プレフィルタ１０２が出力する画像はセレクタ１０４を介して動き探索手段１０６へ出力され、動き探索処理（動きベクトルが検出）される。そして、動き探索手段１０６が出力する動き探索結果（動きベクトル）とプレフィルタ１０２が出力する画像は、インター符号化情報生成手段１０７へ出力され、インター符号化用の符号化パラメータが生成される。
【００１９】
最後に、イントラ符号化情報生成手段１０５またはインター符号化情報生成手段１０７で生成された符号化パラメータは、可変長符号化手段１０８に出力され、可変長符号化されたビットストリーム１０９が出力される。
【００２０】
符号化処理手段１１１内部の動作は、基本的に符号化処理手段１０１の動作と同様である。即ち、プレフィルタ１１２、セレクタ１１４、イントラ符号化情報生成手段１１５、動き探索手段１１６、インター符号化情報生成手段１１７、及び可変長符号化手段１１８は、それぞれ、プレフィルタ１０２、セレクタ１０４、イントラ符号化情報生成手段１０５、動き探索手段１０６、インター符号化情報生成手段１０７、可変長符号化手段１０８と同様の処理を行なう。
【００２１】
但し、符号化処理手段１１１には、Intra/Inter判定手段１０３に相当するものがなく、Intra/Inter判定手段１０３が出力した符号化条件がセレクタ１１４に入力されている。セレクタ１１４は、Intra/Inter判定手段１０３から入力された判定条件に基づいて、画像をイントラ符号化情報生成手段１１５または動き探索手段１１６へ出力する。
【００２２】
以上のように、この実施の形態１によれば、符号化処理手段１０１で使用したIntra/Inter判定の符号化条件を符号化処理手段１１１が使用することにより、符号化処理手段１１１はIntra/Inter判定手段を備える必要が無くなるので、動画像符号化装置を小規模化できる。また、符号化処理手段１１１において、Intra/Inter判定処理が省略されるので、処理負荷を軽減することができる。
【００２３】
なお、実施の形態１では符号化処理手段１１１が符号化処理手段１０１で使用したIntra/Interの判定結果（符号化条件）を使用する場合を示したが、その他にプレフィルタ１０２で使用したプレフィルタのON/OFFに関する符号化条件をプレフィルタ１１２が使用したり、動き探索手段１０６での動き探索処理で検出された動きベクトルを、インター符号化情報生成手段１１７が利用するようにしてもよい。
【００２４】
実施の形態２．
以下、この発明の実施の形態２について説明する。図２は、この発明の実施の形態２に係る動画像符号化装置の構成図である。図１（実施の形態１）と同一のものには同一番号を付し説明を省略する。
図２と図１の相違点は、図１中の符号化処理手段１０１が解像度変換手段３００を備え、動画像入力手段１００の出力画像が解像度変換手段３００を介してプレフィルタ１０２に入力されることである。解像度変換３００へ入力された画像は縮小変換され、プレフィルタ１０２へ入力される。そのため、符号化処理手段１０１と符号化処理手段１１１とはそれぞれ異なった画像サイズの画像を符号化することとなる。
【００２５】
次に、主として解像度変換手段３００の動作について説明する。図３は、図２中の解像度変換手段３００において、動画像入力手段１００から入力された画像を16pixel×16pixelのマクロブロックに分割した例を示した図である。
図３において、画像４００は符号化処理手段１０１のプレフィルタ１０２に入力される画像を示し、画像４１０は符号化処理手段１１１のプレフィルタ１１２に入力される画像を示している。即ち、画像４１０が、動画像入力手段１００から出力される画像である。
図３では、一例として、解像度変換手段３００が、横96pixel×縦64pixelの画像４１０について、横方向、縦方向をそれぞれ半分にし、横48pixel×縦32pixelに縮小した画像４００を生成している。
【００２６】
画像４００は、MB1-1〜MB1-6の6個のマクロブロックに分割され、画像４１０は、MB2-1〜MB2-24の24個のマクロブロックに分割されている。
画像４００のMB1-2の16pixe×16pixelの領域は、画像４０１のMB2-3、MB2-4、MB2-9、及びMB2-10の32pixel×32pixel領域に相当する。
従って、符号化処理手段１０１でMB1-2の処理で使用したIntra/Inter判定の符号化条件は、符号化処理手段１１１のセレクタ１１４に入力され、MB2-3、MB2-4、MB2-9、及びMB2-10を処理する時に使用される。
【００２７】
以上のように、この実施の形態２によれば、解像度の異なる符号化処理においても、符号化処理手段１０１と符号化処理手段１１１で符号化条件の生成手段（Intra/Inter判定手段１０３）を共有化し、装置の小規模化及び処理負荷の軽減を図ることができる。
また、符号化処理手段１０１で処理するマクロブロック数は、符号化処理手段１１１で処理するマクロブロック数よりも少ないため、符号化処理手段１１１にIntra/Inter判定手段を設けて処理するよりも少ない処理負荷でIntra/Inter判定を行なうことができる。
【００２８】
なお、実施の形態２では解像度変換手段３００が縮小解像度変換する例について記したが、拡大解像度変換を行うことも考えられる。また、実施の形態２では符号化処理手段１０１が解像度変換手段３００を備えているが、符号化処理手段１１１が解像度変換手段を備えることも考えられる。
【００２９】
実施の形態３．
以下、この発明の実施の形態３について説明する。図４は、この発明の実施の形態３に係る動画像符号化装置の構成図である。図２（実施の形態２）と同一のものには同一番号を付し説明を省略する。
図４と図２の相違点は、図２中の符号化処理手段１１１にIntra/Inter判定手段１１３が追加されることと、動き探索手段１０６からの探索結果を入力して動き探索手段１１６が動き探索をすることである。
【００３０】
次に、動作について説明する。図５は、符号化処理手段１１１内の解像度変換手段３００が縮小画像を生成する場合に、動き探索手段１０６，１１６が動き探索を行う探索領域を示した図である。
図５において、画像６００は、動き探索手段１０６で探索対象となるピクチャで、６１０は動き探索手段１１６で探索対象となるピクチャを示す。
図５では、一例として、解像度変換手段３００が、横96pixel×縦64pixelの画像６１０について、横方向、縦方向をそれぞれを半分にし、横48pixel×縦32pixelに縮小した画像６００を生成している。
【００３１】
画像６００内の参照画像領域６０１は、動き探索手段１０６が画像６００を被探索領域として探索した探索結果を示す参照画像領域で、マクロブロックサイズと同じ16pixel×16pixelとなっている。
画像６１０内の画像領域６１１は、参照画像領域６０１に対応する画像領域であり、参照画像領域６０１の縦、横それぞれを2倍とした32pixel×32pixelとなっている。
参照画像領域６１２は、動き探索手段１１６で画像領域６１１を探索した探索結果を示す参照画像領域であり、マクロブロックサイズと同じ16pixel×16pixelとなっている。
【００３２】
動き探索手段１０６は、被探索領域である画像６００内を探索して、参照画像領域６０１とその動きベクトルを探索結果として出力する。
動き探索手段１１６は、動き探索手段１０６からの探索結果が入力され、参照画像領域６０１に対応する画像領域６１１を算出する。そして、動き探索手段１１６は、画像領域６１１を被探索領域として更に詳細に探索し、参照画像領域６１２とその動きベクトルを探索結果として出力する。
【００３３】
実施の形態１，２では、動き探索手段１１６は、画像６１０を被探索領域として動きベクトル探索を実施している。
それに対して、実施の形態３では、動き探索手段１１６は、画像６１０よりも領域の狭い画像領域６１１を被探索領域として動きベクトル探索を実施している。従って、動きベクトルの探索範囲が小さくなるため、探索にかかる処理負荷が軽減される。
【００３４】
次に、図４と異なり、解像度変換手段３００が符号化処理手段１０１ではなく、符号化処理手段１１１に備えられている場合について説明する。
図示しないが、解像度変換手段３００は、図４に示す符号化処理手段１０１内ではなく、符号化処理手段１１１内に備えられており、動画像入力手段１００から入力された画像を解像度変換して、プレフィルタ１１２に出力する。
【００３５】
図６は、符号化処理手段１１１内の解像度変換手段３００が縮小画像を生成する場合に、動き探索手段１０６，１１６が動き探索を行う探索領域を示した図である。画像７００は動き探索手段１０６で探索対象となるピクチャで、７１０は動き探索手段１１６で探索対象となるピクチャを示す。
図６では、一例として、符号化処理手段１０１が横96pixel×縦64pixelの画像７００を符号化し、符号化処理手段１１１は、解像度変換手段３００が画像７００を横48pixel×縦32pixelに縮小した画像７１０を符号化している。
【００３６】
画像７００内の参照画像領域７０１〜７０４は、動き探索手段１０６が画像７００を被探索領域として探索した結果得られた、4マクロブロック分の参照画像領域であり、それぞれ16pixel×16pixelとなっている。
画像７１０内の画像領域７１１〜７１４は、それぞれ参照画像領域７０１〜７０４に対応する画像領域であり、参照画像領域７０１〜７０４の縦、横それぞれを1/2とした8pixel×8pixelとなっている。
ここで、参照画像領域７０１〜７０４は隣接する4マクロブロック分（32pixel×32pixel）の参照画像領域であり、この4マクロブロック分が符号化処理手段１１１が処理する1マクロブロック分（16pixel×16pixel）に相当するとした場合、画像領域７１１〜７１４を包含する画像領域７１５を被探索領域としている。
【００３７】
動き探索手段１０６は、被探索領域である画像７００内を探索して、参照画像領域７０１〜７０４とその動きベクトルを探索結果として出力する。
動き探索手段１１６は、動き探索手段１０６からの探索結果が入力され、参照画像領域７０１〜７０４に対応する画像領域７１１〜７１４を算出する。そして、動き探索手段１１６は、画像領域７１１〜７１４を含む画像領域７１５を被探索領域として更に詳細に探索し、得られた参照画像領域とその動きベクトルを探索結果として出力する。
【００３８】
以上のように、この実施の形態３によれば、動き探索手段１１６は、動き探索手段１０６から探索結果を入力され、動き探索手段１０６における探索領域よりも狭い範囲で動きベクトル探索を実施している。従って、動きベクトルの探索範囲が小さくなるため、探索にかかる処理負荷が軽減されるという効果が得られる。
【００３９】
実施の形態３では、動き探索手段１１６が、動き探索手段１０６の探索結果に対応する画像領域６１１の領域内を探索したが、画像領域６１１を中心としたやや広い領域を探索するようにしてもよい。
また、実施の形態３では、探索結果として参照画像領域を使用しているが、更に探索結果の評価値を使用することにより、評価値が閾値よりも良い場合は、画像領域６１１を被探索領域とし、評価値が閾値よりも悪い場合には、より広い領域、例えば画像６１０を被探索領域としてもよい。
【００４０】
実施の形態４．
以下、この発明の実施の形態４について説明する。図７は、この発明の実施の形態４に係る動画像符号化装置の構成図である。図１（実施の形態１）と同一のものには同一番号を付し説明を省略する。なお、符号化処理手段１０１，１１１のそれぞれの内部構成の記載は省略している。
図７において、本動画像符号化装置は、符号化処理手段１０１が出力する符号化条件を記憶する記憶手段８００を備えている。
【００４１】
次に、動作について説明する。
符号化処理手段１０１は、実施の形態１で説明したような符号化条件を記憶手段８００に出力する。
記憶手段８００は、符号化処理手段１０１から出力された符号化条件を逐次記憶する。
符号化処理手段１１１は、動画像入力手段１００から入力された画像の、符号化処理マクロブロック位置に応じて、記憶手段８００に記憶されている符号化条件の読み出しを行う。そして、読み出した符号化条件に従って処理画像の符号化を行う。
【００４２】
以上のように、この実施の形態４によれば、符号化処理手段１０１が使用した符号化条件は、一旦記憶手段８００へ格納される。符号化処理手段１１１は、符号化処理マクロブロック位置に応じて必要な符号化条件を記憶手段８００から読み出して、符号化制御を行なう。従って、実施の形態１の効果に加えて、符号化処理手段１０１，１１１の間で処理タイミングが異なる場合でも、符号化条件を共有することが可能となる効果が得られる。
【００４３】
実施の形態５．
以下、この発明の実施の形態５について説明する。図８は、この発明の実施の形態５に係る動画像符号化装置の構成図である。図１（実施の形態１）と同一のものには同一番号を付し説明を省略する。なお、符号化処理手段１０１，１１１のそれぞれの内部ブロックの記載は省略してある。
図８において、本動画像符号化装置は、符号化処理手段１０１が出力するビットストリーム１０９を記憶する記憶手段９００と、符号化処理手段１１１が出力するビットストリームを記憶する記憶手段９１０を備えている。
【００４４】
次に、動作について説明する。
符号化処理手段１０１は、例えば高画質な符号化を行い、ビットストリーム１０９を出力する。
記憶手段９００は、符号化処理手段１０１が符号化したビットストリーム１０９を記憶する。記憶手段９００は、ハードディスク等の固定記憶装置やＤＶＤ等の記憶媒体等、大容量の記憶手段とする。
【００４５】
一方、符号化処理手段１１１は、例えば圧縮率の高い符号化を行い、ビットストリーム１１９を出力する。
記憶手段９１０は、符号化処理手段１１１が符号化したビットストリーム１１９を記憶する。記憶手段９１０は、メモリカード等の比較的容量は小さいが、他の再生装置と容易にデータ交換できるような媒体とする。
【００４６】
以上のように、この実施の形態５によれば、実施の形態１の効果に加えて、符号化処理手段１０１，１１１が符号化したビットストリーム１０９，１１９を別々の記憶媒体（記憶手段９００，９１０）に保存することができる。
例えば、符号化処理手段１０１では高画質な符号化を行ってハードディスク（記憶手段９００）に記憶し、符号化処理手段１１１では高圧縮な符号化を行ってメモリカード（記憶手段９１０）に記憶することにより、テレビ放送等の映像を高品質なまま家庭で視聴する一方、メモリカードを用いて携帯端末でも視聴することができる。
【００４７】
実施の形態６．
以下、この発明の実施の形態６について説明する。図９は、この発明の実施の形態６に係る動画像符号化装置の構成図である。図１（実施の形態１）と同一のものには同一番号を付し説明を省略する。なお、符号化処理手段１０１，１１１のそれぞれの内部ブロックの記載は省略してある。
図９において、本動画像符号化装置は、符号化処理手段１０１が出力したビットストリーム１０９を記憶する記憶手段１０００と、符号化処理手段１１１が符号化したビットストリーム１１９をネットワーク１０１１に出力する通信I/F（インタフェース）手段１０１０と、ネットワーク１０１１に接続されたモニタリング手段１０１２を備えている。
【００４８】
次に、動作について説明する。
符号化処理手段１０１は、例えば高画質な符号化を行い、ビットストリーム１０９を出力する。
記憶手段１０００は、符号化処理手段１０１が符号化したビットストリーム１０９を記憶する。記憶手段９００は、ハードディスク等の固定記憶装置やＤＶＤ等の記憶媒体等、大容量の記憶手段とする。
【００４９】
一方、符号化処理手段１１１は、例えば圧縮率の高い符号化を行い、ビットストリーム１１９を、通信I/F手段１０１０を介してネットワーク１０１１に送信する。
モニタリング手段１０１２は、ネットワーク１０１１経由で受信したビットストリーム１１９を復号して再生表示し、符号化処理手段１１１が符号化した画像をモニタリングする。
【００５０】
以上のように、この実施の形態６によれば、実施の形態１の効果に加えて、符号化処理手段１０１が符号化したビットストリーム１０９を記憶手段１０００に保存し、符号化処理手段１１１が符号化したビットストリーム１１９は、ネットワーク１０１１に送信してモニタリング手段１０１２でモニタリングすることができる。
例えば、監視カメラで撮影した映像を、符号化処理手段１０１では高画質な符号化を行なって詳細な監視映像としてハードディスク（記憶手段１０００）に保存すると共に、符号化処理手段１１１では高圧縮な符号化を行なってネットワーク１０１１に送信し、遠隔地のモニタリング手段１０１２で復号して監視することができる。
【００５１】
実施の形態１〜６の説明では、２つの符号化処理手段を備える動画像符号化装置について説明したが、より多くの符号化方式に対応するように、符号化条件を共有する３つ以上の符号化処理手段を備えることもできる。
【図面の簡単な説明】
【００５２】
【図１】この発明の実施の形態１に係る動画像符号化装置の構成図である。
【図２】この発明の実施の形態２に係る動画像符号化装置の構成図である。
【図３】図２中の解像度変換手段３００において、動画像入力手段１００から入力された画像を16pixel×16pixelのマクロブロックに分割した例を示した図である。
【図４】この発明の実施の形態３に係る動画像符号化装置の構成図である。
【図５】符号化処理手段１１１内の解像度変換手段３００が縮小画像を生成する場合に、動き探索手段１０６，１１６が動き探索を行う探索領域を示した図である。
【図６】符号化処理手段１１１内の解像度変換手段３００が縮小画像を生成する場合に、動き探索手段１０６，１１６が動き探索を行う探索領域を示した図である。
【図７】この発明の実施の形態４に係る動画像符号化装置の構成図である。
【図８】この発明の実施の形態５に係る動画像符号化装置の構成図である。
【図９】この発明の実施の形態６に係る動画像符号化装置の構成図である。
【符号の説明】
【００５３】
１００  動画像入力手段、１０１，１１１  符号化処理手段、１０２，１１２  プレフィルタ、１０３，１１３  Intra/Inter判定手段、１０４，１１４  セレクタ、１０５，１１５  イントラ符号化情報生成手段、１０６，１１６  動き探索手段、１０７，１１７  インター符号化情報生成手段、１０８，１１８  可変長符号化手段、１０９，１１９  ビットストリーム、３００  解像度変換手段、４００  画像、４１０  画像、６００  画像、６０１  参照画像領域、６１０  画像、６１１  画像領域、６１２  参照画像領域、
７００  画像、７０１〜７０４  参照画像領域、７１０  画像、７１１〜７１５  画像領域、８００  記憶手段、９００，９１０  記憶手段、１０００  記憶手段、１０１０  通信I/F手段、１０１１  ネットワーク、１０１２  モニタリング手段。
【図１】
2007251648.tif 000003
【図２】
2007251648.tif 000004
【図３】
2007251648.tif 000005
【図４】
2007251648.tif 000006
【図５】
2007251648.tif 000007
【図６】
2007251648.tif 000008
【図７】
2007251648.tif 000009
【図８】
2007251648.tif 000010
【図９】
2007251648.tif 000011